(57)【要約】【課題】マイクを覆う内筒パッキンと外筒パッキンとの隙間から雑音が侵入することを防止したインターホン装置を提供する。【解決手段】マイク用透音孔１５とが前面に開口された前ケース２と、前記前ケース２の裏側を塞いて電装基板７を収容するための後ケース３と、前記マイク用透音孔１５の周囲の前記前ケース２裏側に立設されたマイク保持筒部３０と、前記マイク用透音孔１５に集音面を向けてマイク９が装着される有底筒状の内筒パッキン３１と、透音孔３２を底面に有し前記内筒パッキン３１の外側に嵌着される有底筒状の外筒パッキン３３とから成るヒンジ体３４を前記マイク保持筒部３０に嵌着するもので、前記外筒パッキン３３の先端外周には斜めカットのテーパー部３５を形成すると共に、このテーパー部３５と接するマイク保持筒部３０の角部にはゴム製のＯリング３６を備えたものである。【選択図】図４
2015173338.tif 000002
【特許請求の範囲】
【請求項１】
マイク用透音孔とが前面に開口された前ケースと、前記前ケースの裏側を塞いて電装基板を収容するための後ケースと、前記マイク用透音孔の周囲の前記前ケース裏側に立設されたマイク保持筒部と、前記マイク用透音孔に集音面を向けてマイクが装着される有底筒状の内筒パッキンと、透音孔を底面に有し前記内筒パッキンの外側に嵌着される有底筒状の外筒パッキンとから成るヒンジ体を前記マイク保持筒部に嵌着するものに於いて、前記外筒パッキンの先端外周には斜めカットのテーパー部を形成すると共に、このテーパー部と接するマイク保持筒部の角部にはゴム製のＯリングを備えた事を特徴とするインターホン装置。
【発明の詳細な説明】
【技術分野】
【０００１】
この発明は、給湯機用インターホンリモコン装置などのスピーカーとマイクが同時に作動するインターホン装置に関するものである。
【背景技術】
【０００２】
従来より、この種の給湯機用のインターホンリモコン装置に於いては、特許文献１に示すように、前ケースと後ケースより成るケース本体と、ケース本体の正面を覆うカバーとを備え、前ケースとカバーにはそれぞれスピーカ用透音孔とマイク用透音孔が開口され、前ケースのスピーカー用透音孔とマイク用透音孔の裏面にそれぞれスピーカーとマイクが取り付けられているものであった。
【先行技術文献】
【特許文献】
【０００３】
【特許文献１】特開２００６−３３４９４号公報
【発明の概要】
【発明が解決しようとする課題】
【０００４】
ところがこの従来のものでは、インターホンの通話方式を従来の片方向切替通話方式から近年採用されてきた音声スイッチを用いた双方向同時通話方式に変えた場合、通話中はスピーカーとマイクが双方有効に作動し、前ケースにマイクが取り付けられているものであることから、マイクを覆うパッキンとケースの隙間から雑音が侵入し、これをマイクが拾うことから相手側のスピーカーから雑音が聞こえて聞きづらいと言う課題を有するものであった。
【課題を解決するための手段】
【０００５】
この発明は上記課題を解決する為に、マイク用透音孔とが前面に開口された前ケースと、前記前ケースの裏側を塞いて電装基板を収容するための後ケースと、前記マイク用透音孔の周囲の前記前ケース裏側に立設されたマイク保持筒部と、前記マイク用透音孔に集音面を向けてマイクが装着される有底筒状の内筒パッキンと、透音孔を底面に有し前記内筒パッキンの外側に嵌着される有底筒状の外筒パッキンとから成るヒンジ体を前記マイク保持筒部に嵌着するものに於いて、前記外筒パッキンの先端外周には斜めカットのテーパー部を形成すると共に、このテーパー部と接するマイク保持筒部の角部にはゴム製のＯリングを備えたものである。
【発明の効果】
【０００６】
以上のようにこの発明によれば、ゴム製のＯリングによって前ケースと外筒パッキンとの間及び外筒パッキンと内筒パッキンとの間の隙間が塞がれることで、これらの隙間から侵入した雑音をマイクが拾い、相手側のスピーカーからこれらの雑音が聞こえる不具合を確実に防止し、常に良好にインターホンを利用することが出来るものである。
【図面の簡単な説明】
【０００７】
【図１】本発明の一実施形態のインターホンリモコン装置の分解斜視図。
【図２】同一実施形態の前ケース裏面の斜視図。
【図３】同一実施形態のカバー裏面の斜視図。
【図４】同一実施形態のマイク取り付け部分の要部断面図。
【発明を実施するための形態】
【０００８】
次にこの発明の一実施形態のインターホンリモコン装置について、図面に基づいて説明する。
【０００９】
図１はインターホンリモコン装置１の分解斜視図で、内蔵部品の前面側を覆う前ケース２と、後面側を覆う後ケース３とで構成される薄い箱状のケース体４に、液晶表示部５や複数のスイッチ６、図示しない音声スイッチなどの電子部品を備えた電装基板７や、スピーカー８、マイク９等を内蔵し、前ケース２の前面側に複数の操作キー１０を挟み込んで保持するカバー１１が取り付けられている。
【００１０】
前ケース２は、透明樹脂で構成されて液晶表示部５の表示内容が視認可能としており、また、電装基板７上の複数のスイッチ６に対応する位置に前後に進退可能な操作子１２が設けられ、各操作子１２に対応する表面には水の進入を防止する防水フィルム１３が貼着されている。
【００１１】
また、前ケース２前面の左右両端寄りにスピーカ用透音孔１４と、マイク用透音孔１５とが開口され、スピーカ用透音孔１４の上方には前ケース２とカバー１１間の空間に入り込んだ水がスピーカ用透音孔１４に直接入るのを阻害するための庇１６が立設され、マイク用透音孔１５にはマイク防水シート１７が貼着されている。
【００１２】
また、スピーカ用透音孔１４とマイク用透音孔１５とを結ぶ直線に直交する方向に渡り前ケース２の表側に突出するように衝立状の表側リブ１８が立設されている。この表側リブ１８は、前ケース２の液晶表示部５に対応して表側に張り出した部位の両端下方にカバー１１裏面と接触しない程度の高さを有して設けられている。
【００１３】
カバー１１は、不透明樹脂で構成され、液晶表示部５と対応する位置に開口された表示開口部１９と、前ケース２のスピーカ用透音孔１４と対応する位置に開口されたスピーカ用透音穴２０と、前ケース２のマイク用透音孔１５と対応する位置に開口されたマイク用透音穴２１とが設けられていると共に、操作キー１０が露出するように操作キー１０に対応する位置が開口され、操作キー１０のアーム部１０ａがカバー１１と前ケース２との間に挟まれて固定される。
【００１４】
図２は前ケース２裏面の斜視図で、スピーカ用透音孔１４の周囲には、スピーカー８取り付け用の筒状のスピーカ保持筒部２２が立設され、このスピーカ保持筒部２２の周囲には、スピーカ固定ネジ２３を螺着させるボス部２４と、スピーカ保持筒部２２の剛性を向上させる複数の補強リブ２５とが放射状（ここでは約４５°ごと）に配置されている。
【００１５】
スピーカー８は、スピーカー８の前面側周縁部を覆うスピーカパッキン２６と共にスピーカ保持筒部２２内に装着され、スピーカー８の後端にスピーカ押さえ金具２７を介してスピーカ固定ネジ２３が螺着されて前ケース２に固定される。
【００１６】
また、スピーカー８の背面位置には、後ケース３の円筒部２８に装着された多孔性の吸音材２９が配置され、スピーカー８の背面からマイク９側への音の回り込みを抑制している。
【００１７】
図４に示すように、マイク用透音孔１５の周囲には、マイク９の取り付け用の筒状のマイク保持筒部３０が立設され、マイク９はマイク用透音孔１５に集音面を向けた状態で装着されるゴム製で有底筒状の内筒パッキン３１と、透音孔３２を底面に有し前記内筒パッキン３１の外側に嵌着されるゴム製の有底筒状の外筒パッキン３３とから成るヒンジ体３４をマイク９が装着されたままの状態で、前記マイク保持筒部３０に嵌着されるもので、前記外筒パッキン３３の先端外周には斜めカットのテーパー部３５が形成されており、マイク保持筒部３０の角部に備えられたゴム製のＯリング３６を、前記テーパー部３５で押しつぶしながら、マイク保持筒部３０にマイク９を装着したヒンジ体３４を嵌着することにより、前ケース２と外筒パッキン３３との間及び内筒パッキン３１と外筒パッキン３３との間のそれぞれの隙間が、Ｏリング３６自体や該Ｏリング３６に押圧されて内筒パッキン３１と外筒パッキン３３とが密接して塞がれ、これらの隙間からマイク９への雑音の侵入を確実に防止して、インターホンを良好に使用出来るものであり、ヒンジ体３４の後端が電装基板７によって押さえられて前ケース２に固定される。
【００１８】
そして、スピーカ用透音孔１４とマイク用透音孔１５とを結ぶ直線に直交する方向に渡り前ケース２の裏側に突出するように衝立状の裏側リブ３７が立設されている。この裏側リブ３７は、液晶表示部５の左右方向の中央付近に複数本（ここでは２本）設けられ、スピーカー８から距離を有して設けられている。
【００１９】
図３はカバー１１裏面の斜視図で、表示開口部１９の両脇に上下に渡ってカバー１１の裏側に突出するように衝立状のカバー側リブ３８が設けられている。このカバー側リブ３８は、カバー１１を前ケース２に取り付けた際に、表側リブ１８よりも外側、すなわちスピーカー８側の表側リブ１８よりもスピーカー８側になり、マイク９側の表側リブ１８よりもマイク９側になる位置に前ケース２表面と接触しない程度の高さを有して設けられている。
【００２０】
そして、上記のインターホンリモコン装置１がそれぞれ別の場所に一つずつで一組設置され、インターホンリモコン装置１同士で双方向同時通話方式によるインターホン通話を可能としている。
【００２１】
この双方向同時通話方式による通話中はスピーカー８とマイク９が双方有効に作動し、両インターホンリモコン装置１のマイク９から集音した音を音声スイッチにより比較し、大きい音を発している側のインターホンリモコン装置１に送話権が付与される。ここで、最初に送話権が付与されたインターホンリモコン装置１をリモコンＡと呼び、最初に送話権が付与されなかったインターホンリモコン装置１をリモコンＢと呼ぶこととする。
【００２２】
そして、リモコンＡのマイク９で集音した音をリモコンＢのスピーカー８で発音し、そのとき並行して、リモコンＢのマイク９で集音した音は音声スイッチに送られてリモコンＡのマイク９で集音した音と比較し続ける。
【００２３】
リモコンＢのマイク９で集音した音がリモコンＡのマイク９で集音した音よりも大きくなると、送話権をリモコンＡからリモコンＢへ切り替えて付与し、リモコンＢのマイク９で集音した音をリモコンＡのスピーカー８で発音し、そのとき並行して、リモコンＡのマイク９で集音した音は音声スイッチに送られてリモコンＢのマイク９で集音した音と比較し続けることで、双方向同時通話方式でのインターホン通話が行われる。
【００２４】
従って、送話権が付与されていない側のインターホンリモコン装置１では、スピーカー８での発音がマイク９に回り込む可能性が常に生じるが、スピーカー８は、スピーカパッキン２６を介してスピーカ保持筒部２２および前ケース２に接していると共に、スピーカ保持筒部２２が放射状に配された補強リブ２５によって剛性強化されているため、スピーカー８から前ケース２に振動が伝わりにくくなり、スピーカー８と同じく前ケース２に固定されたマイク９へ固体伝播する振動が減少してハウリングが起こりにくくなる。
【００２５】
また、前ケース２にスピーカー８から伝わった振動は、スピーカー８からマイク９側への振動の進行方向に直交する方向に剛性強化した裏側リブ３７および／または表側リブ１８が存在することによって、前ケース２を伝ってスピーカー８から裏側リブ３７および表側リブ１８を超えてマイク９へ向かう振動が減衰され、マイク９へ固体伝播する振動が減少してハウリングが起こりにくくなる。
【００２６】
一方、前ケース２の表面側とカバー１１の裏面側との間の空間をスピーカー８から発せられた音がマイク９へ周り込もうとするが、カバー側リブ３８と表側リブ１８とによる障壁が２本ずつ計４本存在するため、この空間を伝播する音を遮り、スピーカー８からマイク９に回り込む音を減少させてハウリングが起こりにくくなる。
【００２７】
更にマイク９は、マイク用透音孔１５に集音面を向けた状態で装着されるゴム製で有底筒状の内筒パッキン３１と、透音孔３２を底面に有し前記内筒パッキン３１の外側に嵌着されるゴム製の有底筒状の外筒パッキン３３とから成るヒンジ体３４をマイク９が装着されたままの状態で、前記マイク保持筒部３０に嵌着されるので、外筒パッキン３３の先端外周の斜めカットのテーパー部３５が、マイク保持筒部３０の角部に備えられたゴム製のＯリング３６を、押しつぶしながら嵌着されることで、前ケース２と外筒パッキン３３との間及び内筒パッキン３１と外筒パッキン３３との間のそれぞれの隙間が、Ｏリング３６自体や該Ｏリング３６に押圧されて内筒パッキン３１と外筒パッキン３３とが密接して塞がれ、これらの隙間からマイク９への雑音の侵入を確実に防止して、インターホンを良好に使用出来るようにしたものである。
【符号の説明】
【００２８】
１  インターホンリモコン装置
２  前ケース
３  後ケース
７  電装基板
８  スピーカー
９  マイク
１４  スピーカ用透音孔
１５  マイク用透音孔
３０  マイク保持筒部
３１  内筒パッキン
３２  透音孔
３３  外筒パッキン
３４  ヒンジ体
３５  テーパー部
３６  Ｏリング
【図１】
2015173338.tif 000003
【図２】
2015173338.tif 000004
【図３】
2015173338.tif 000005
【図４】
2015173338.tif 000006